(57)【要約】【課題】  高速ネットワークを駆使して、徹底した作業の効率化を図り、クオリティーの高いコンテンツをより多く、低価格で提供すること。【解決手段】  本部とクライアントと、エディターを高速のインターネットでつなぎ、クライアントの注文に合ったエディターにより、コンテンツを完成させ納品するものである。本部のオペレーションシステムは、この一連の流れをカウント管理し、規定の期日に、規定の料金をネット上でクライアントから受け取り、ネット上でエディターに送金するものである。高速インターネットを駆使することで、流通コストが削減され、エディターの物理的移動による、時間のロス、体力の消耗も省かれ、より効率的な編集作業へと結びつき、結果として映像コンテンツ制作の低価格化を実現するものである。【選択図】図１
2005063394.tif 000002
【特許請求の範囲】
【請求項１】
本部のサーバー群とクライアントとエディターを高速ブロードバンドで結び、クライアントからの依頼により、注文データと素材のデータファイルが、インターネットを介して、本部のデータサーバーにアップロードされる。本部のオペレーションシステムには、多くの編集マン（以降エディターと呼ぶ）が、ハードディスクにデータとして登録されており、常時更新されている。これはグループウェアーとも呼ばれており、仕事の空き状態等がすぐに把握できる仕組みになっている。これにより適切な能力を持つエディターに編集作業を依頼する。エディターは編集済の完成素材を、インターネットを介して、本部のデータサーバーにアップロードする。本部はクライアントに完成を告げ、その後ダウンロードしてもらう。
これら、受注から納品まで、本部のオペレーションシステムが管理し、それぞれに発生する課金管理や送金も全てネットワーク上で行うものである。
【請求項２】
納品は、クライアントの指定のフォーマットで行われる。請求項１で制作されたコンテンツを、Ｍｐｅｇ−２にデータのコンバートすることにより、ストリーミング配信が可能になり、又このデータをオーサリングすることにより、ＤＶＤビデオの制作も行おうとするものである。
【発明の詳細な説明】
【技術分野】
【０００１】  本発明はビジネスモデルであり、インターネットの急速な普及と高速ブロードバンド等をより効率的に活用するものである。
【背景技術】
【０００２】  映像ストリーミングの配信については、データの伝送速度が、まだ遅かった頃、コンピュータ画面の半分以下で、しかも、テレビジョンでの標準となっている、１秒間に３０フレームどころか１秒間に１０フレームくらいの、かくかくした映像が限界だった。【０００３】  映像ストリーミングをテレビジョンと同じ品質にもって行くためには、最低でもデータの伝送速度は、２Ｍｂｐｓを保障しなくてはならない。【０００４】  現在の光ブロードバンド（１００Ｍｂｐｓ）でのベストエフォートで得られる伝送速度があれば理想的である。【０００５】  通常、優秀なエディターは、同時に数本のコンテンツ編集を抱えており、素材の受け渡しや、コンテンツ制作上の打ち合わせ等、物理的移動に伴う時間のロスや、体力の消耗等が激しかった。
【発明の開示】
【発明が解決しようとする課題】
【０００６】  テレビジョンが多チャンネル化されてゆく中、求められている、より多くの、質の高い映像コンテンツの制作と、低価格化。【０００７】  高速ブロードバンドが、企業のみならず、個人宅までにも、及んでいることから、在宅勤務も可能にした編集制作システム。【０００８】  今まで高額と見られていた、高品質なコンテンツの利用範囲の拡大。
【課題を解決するための手段】
【０００９】  このビジネスモデルは、高速インターネットを、より効率的に活用するものである。【００１０】  エディターの時間のロスと体力の消費を少しでも抑えることにより１本でも多くの編集につながり、低価格化と収入の増加の相反した課題を解決できる。【００１１】  より良い環境の下に人は集まる。
優秀な人材を多く抱えることが、何よりも重要である。
地球規模で人材確保を考えることにより、２４時間年中無休でサービスの提供が可能となる。【００１２】  本部のオペレーションシステムにより、リアルタイムでの人材管理等が行われ、これにより、納品時間の大幅な短縮が望める。
【発明の効果】
【００１３】  個人やＳＯＨＯとして編集作業を生業としている優秀なエディターを、獲得する事による映像コンテンツのレベルアップ、及び新人編集マンの育成が可能になる。【００１４】  このビジネスモデルの仕組み自体が、下記の実施例でも述べているような、ビジネスチャンスを生み、大量の雇用にもつながる。
【発明の実施するための最良の形態】
【００１５】  以下、本発明の実施の形態を図１〜図２に基づいて説明する。
【００１６】  図１においては、本ビジネス特許の基本的な流れを示すものである。
【００１７】  本部設備はオペレーションシステム５、ならびにデータサーバー群６からなり、クライアント８と高速ブロードバンド２でインターネット３を介して、本部システム７と結ばれている。
【００１８】  １ａ、１ｂ、１ｃは、優秀なエディターで構成されている、エディターズネットワークを示すもので、こちらもやはり、高速ブロードバンド２で、インターネット３を介して本部システム７とつながっている。
【００１９】  この基本構成の中心に位置するのが、本部のオペレーションシステム５であり、エディターの在籍管理から、ファイル管理、カウントに応じた報酬の送金などを行う。
【００２０】  図２は、このシステムから生まれた、葬祭ストリーミングである。
【００２１】  これは、現在執り行われている葬儀に、より印象的な演出を施すものである。
【００２２】  全国の葬儀場で日々執り行われているお通夜の席で、故人を偲ぶ、想い出深いシーンやその時折の季節の映像からなるビデオを会場で流すことで、タブー視されてきた葬祭に対しての演出効果が大きく得られるものである。
【００２３】  この葬祭ストリーミングを実現するためには、時間との勝負である。
【００２４】  葬儀が発生して、葬儀社若しくは、我々のスタッフが、遺族を訪問して、想い出となる写真を規定枚数お預かりしてくる。
【００２５】  葬儀社若しくは、我々のスタッフの事務所などで、その写真をスキャニングし、デジタルデータに変換する。
【００２６】  注文データと共に、ファイリングされたデータを、本部のオペレーションシステム５を介して、本部のデータサーバー６に、アップロードする。
【００２７】  これを受けて、本部のオペレーションシステム５は、その素材の編集に一番ふさわしい人材とコンタクトを取り、編集を依頼する。
【００２８】  エディター（１ａ，１ｂ，１ｃ）は、指定されたファイルを、本部のデータサーバー６からダウンロードし、編集作業を開始する。
【００２９】  我々の基本編集システムを使用することで、今まで、写真のデータといえば、静止画でしかなかったが、単なる静止画データの羅列ではなく、写真を元にビデオカメラで再撮影したかのように、ズームをかけたり、パーンをかれたりと言う動きを写真データからアプリケーション上で行い、作品にメリハリを持たせることができるようになった。
【００３０】  こうして短時間で仕上げられた映像データは、指定のフォーマットに変換され、その後、本部のデータサーバー６にアップロードされる。
【００３１】  本部のオペレーションシステム５は、そのアップロードされた編集データを、所定の葬儀場に光ブロードバンド４を使って、ストリーミング配信する。
【００３２】  当システムで採用しているストリーミングの形式は、オンデマンド配信というもので、葬儀場に設営されたコンピューター９にデータを一度ダウンロードして、繰り返し上映するものである。
【００３３】  しかも、このダウンロードされたデータのフォーマットが、Ｍｐｅｇ−２という形式なので、オーサリングソフトを使って、ＤＶＤ−Ｒに焼きこむことにより、半永久的に画像の劣化が起こらない、ＤＶＤビデオ１０を作ることが出来る。
【図面の簡単な説明】
【００３４】
【図１】  システム構成図
【図２】  葬祭ストリーミング構成図
【符号の説明】
【００３５】  １ａ  フリーのエディター
１ｂ  ＳＯＨＯのエディター
１ｃ  編集スタジオ等のエディター
２    高速ブロードバンド
３    インターネット網
４    光ブロードバンド
５    本部のオペレーションシステム
６    データサーバー
７    本部システム
８    クライアント
９    葬儀場の出力用コンピューター
１０    ＤＶＤビデオ
【図１】
2005063394.tif 000003
【図２】
2005063394.tif 000004